(57)【要約】      （修正有）【課題】学童が通学路を集団で横断しているときの、学童や保護者の護身対策と暴漢の撃退又は制圧の対策を講じた横断旗を提供する。【解決手段】横断旗の旗竿１に十手状のＬ字フック３を取り付けて、暴漢に襲われたときは、横断旗を直ちに護身具として転用する。Ｌ字フック３内側に暴漢の腕を挟み込むことで暴漢を撃退又は制圧し、暴漢の暴力行為から学童や保護者を守る。【選択図】図２
0003187807.tif 000002
【実用新案登録請求の範囲】
【請求項１】
横断旗の旗竿に十手状のＬ字フックを取り付けて、暴漢に襲われた際、横断旗が護身具として機能する構造の横断旗。
【請求項２】
十手状のＬ字フックが、旗竿との結合部で２０〜３０ｍｍ、開口部で７０〜１００ｍｍと、旗竿と角度を有して結合され、暴漢の腕を挟み込み易い構造の請求項１記載の横断旗。
【請求項３】
十手状のＬ字フックを波形とし、暴漢の腕を挟み込んだ際のすべり抵抗を大きくし、より確実に制圧出来る構造の請求項２記載の横断旗。
【考案の詳細な説明】
【技術分野】
【０００１】  本考案は、通学路を横断する学童を誘導する横断旗に関する。
【背景技術】
【０００２】  学童が通学路を横断するとき、保護者が横断旗を車道に向け保持立哨し、交通事故防止対策を講じている。最近、交通事故対策とは別に、学童が集合している所に暴漢が現れ刃物等凶器で殺傷する事件が発生しており、学童の通学時にこのような暴漢への対策も必要となっている。
学校、保育所、病院等の公共施設内には暴漢対策として、サスマタを護身用具として設置しているところが多く見受けられるが、通学路など公共施設外では護身用具を携帯することはなかった。【０００３】  通学路の横断に関しては、横断旗を学童銘々が携帯するのに有効な横断旗（例えば、特許文献１及び２参照。）、自動車へより強い注意喚起をするための横断旗（例えば、特許文献３参照。）が提案されている。暴漢に対する対策としては、防犯ブザーを内蔵した横断旗（例えば、特許文献４参照。）が提案されている。
これらは、最近の刃物等凶器を所持した暴漢に対する護身、暴漢の撃退又は制圧等のためには有効なものではない。
【先行技術文献】
【特許文献】
【０００４】
【特許文献１】特開平１１−２８８２３５号公報
【特許文献２】実開平４−２４７８８号公報
【特許文献３】実用新案登録第３１６７５９２号公報
【特許文献４】特開２０１１−１１８３２０号公報
【考案の概要】
【考案が解決しようとする課題】
【０００５】  学童が通学路を集団で横断しているとき、保護者が横断旗を車道に向け保持立哨し、交通事故防止対策を講じていることが多い。最近、刃物等凶器を所持した暴漢が出現し、このような平和な状況を一変させる事件が発生しており、学童や保護者の護身対策と暴漢の撃退又は制圧対策の具体化が望まれている。これら対策を講じた横断旗を提供する。
【課題を解決するための手段】
【０００６】  横断旗の旗竿（１）に十手状のＬ字フック（２又は３）を取り付けて、暴漢に襲われたときは、横断旗を直ちに護身具として転用し、Ｌ字フック（２又は３）と旗竿（１）との間に暴漢の腕（１３）を挟み込むことで暴漢を撃退又は制圧し、暴漢の暴力行為から学童や保護者を守る。
【考案の効果】
【０００７】  本考案の十手状のＬ字フック（２又は３）と旗竿（１）との間に挟み込んだ暴漢の腕は、刃物等凶器を所持している場合でも手の自由が利かず、また、多少の痛みも伴うことで暴漢も無力化し、凶器を放すことになり緊急の危機からは解放され、次の対応をとる余裕が生まれることになる。つまり、暴漢に対する護身に関しては十分にその役割を果たしたことになり、極めて大きな効果を有している。
【図面の簡単な説明】
【０００８】
【図１】ストレート形Ｌ字フックを採用した本考案横断旗を示す斜視図である。
【図２】波形Ｌ字フックを採用した本考案横断旗を示す斜視図である。
【図３】Ｌ字フックと補強板及び固定用金具との接合状態を示す図である。
【図４】Ｌ字フックを旗竿に固定するためのリベット穴を示す斜視図である。
【図５】Ｌ字フックを旗竿に固定した状態を示す斜視図である。
【図６】Ｌ字フックに暴漢の腕を挟み込んだ状態を示す斜視図である。
【考案を実施するための形態】
【０００９】  本考案の横断旗は、旗竿（１）に十手状のＬ字フック（２又は３）を取り付けて、暴漢に襲われたときは、直ちに護身具として転用出来るようにしたものであり、以下実施するための形態を図面により説明する。
【００１０】  本考案の横断旗は、図１及び図２に示すように、棒状の旗竿（１）に、従来の横断旗には無い十手状のＬ字フック（２又は３）を取り付けた構造である。この十手状のＬ字フック（２又は３）は、暴漢に襲われたとき護身具として転用するためのものであり、護身具としては暴漢の腕をＬ字フック（２又は３）と旗竿（１）との間に挟み込み暴漢の抵抗を抑え込むことを狙ったものである。
【００１１】  本考案の横断旗は、暴漢対応の観点から軽量で高強度のものが要求される。試作品の試用結果から、旗竿（１）はパイプ状の炭素繊維素材を使用するのがよいと判断された。また、Ｌ字フック（２又は３）の材質は、試作品の試用結果から、通常ステンレス材料を使用するのがよいと判断された。本考案の横断旗が暴漢に対して凶器とならないためにもパイプ状炭素繊維材料の旗竿（１）の両端には安全ゴム栓を取り付け、Ｌ字フック（２又は３）には、軟質の合成樹脂製又はゴム製の安全カバーを取り付けるのが有効な配慮であると判断される。
【００１２】  十手状のＬ字フック（２又は３）の形状に関し、旗竿（１）との接合部幅（Ｗ１）に対して旗竿との開放部幅（Ｗ２）を大きくすることで暴漢の腕をＬ字フック（２又は３）と旗竿（１）との間に挟み込み易くなることが判った。具体的には暴漢の体格を考慮して、Ｗ１：２０〜３０ｍｍ、Ｗ２：７０〜１００ｍｍ程度に設定するとよい。
また、十手状のＬ字フック（２又は３）は図２に示すように波形Ｌ字フック（３）にすると、図１のストレート形Ｌ字フック（２）の場合に比較し、波形Ｌ字フック（３）と旗竿（１）との間に挟み込んだ暴漢の腕を締め付け易く、暴漢に対する制圧効果が大きくなる。しかし、特別な加工をしないストレート形Ｌ字フック（２）であっても本考案の効果に関しては、一向に差支えはない。
【００１３】  十手状のＬ字フック（２又は３）の旗竿（１）への固定は、Ｌ字フック固定金具（４）を介して行なう。Ｌ字フック（２又は３）とＬ字フック固定金具（４）は図３に示すようにＬ字フック補強板と共に接触するコーナーすべてを溶接にて接合する。
そして、Ｌ字フック固定金具（４）を図４及び図５に示すように、Ｌ字フック（２又は３）の溶接位置と１８０°反対側で２ケのリベットにより旗竿（１）に固定される。
【００１４】  横断中を表示する旗（６）は、黄色の樹脂フィルム又は布に黒色で横断中の文字を表示して、旗（６）の上部を旗竿（１）の外径に併せて折返し加工し、折返し部に旗竿（１）を挿入して輪ゴムで滑り止めとするのが簡略でしかも緊急時に旗（６）を旗竿（１）から外し、護身具に転用するのに効果が大である。
【００１５】  全体的な概略寸法に関しては、試作試用の結果、旗竿径：φ１６ｍｍ、旗竿長：８００ｍｍ、Ｌ字フック幅（Ｗ３）：１５ｍｍ、Ｌ字フック長（Ｌ）：８００ｍｍ、Ｌ字フック厚さ（ｔ）：４ｍｍ程度にするのがよい。しかしながら、使用者の要求に応じて任意に変更してよい。
【実施例】
【００１６】  本考案の詳細を実施例で説明する。本考案はこの実施例によって何ら限定されるものではない。
外形：φ１６ｍｍ、内径：φ１２ｍｍ、長さ：８００ｍｍの株式会社ホーペック製の炭素繊維材を旗竿（１）とし、Ｌ字フック長（Ｌ）：１３０ｍｍ、Ｌ字フック幅（Ｗ３）：１５ｍｍ、Ｌ字フック厚さ（ｔ）：４ｍｍのステンレス製の波形Ｌ字フック（３）を前記の旗竿（１）と接合部幅（Ｗ１）：２５ｍｍ、開放部幅（Ｗ２）：８５ｍｍに設定し、Ｌ字フック固定金具（８）を介し旗竿（１）とブラインドリベット（１１）留め接合した。このステンレス製の波形Ｌ字フック（３）にはゴム製のカバーを装着し、旗竿（１）の両端面には安全ゴム栓（５）を装着した。
横断中を表示した旗（６）は、樹脂フィルム製で、横：３５０ｍｍ、縦：４２０ｍｍとした。この実施例における図２に示す本考案の横断旗の総重量は２４０ｇであった。【００１７】  前記横断旗を用いて数回暴漢の腕を波形Ｌ字フック（３）内部に挟み込む訓練をした後、見知らぬ暴漢役との実地訓練においても、図６に示すような状態で暴漢役の腕を波形Ｌ字フック（３）内部に挟み込むのに成功し、有効性が確認された。
【符号の説明】
【００１８】  １  旗竿
２  ストレート形Ｌ字フック
３  波形Ｌ字フック
４  Ｌ字フック接合部
５  安全ゴム栓
６  旗
７  輪ゴム
８  Ｌ字フック固定用金具
９  Ｌ字フック補強板
１０  リベット穴
１１  リベット
１２  護身者の腕
１３  暴漢の腕
１４  溶接個所
Ｗ１  Ｌ字フックと旗竿との接合部幅
Ｗ２  Ｌ字フックと旗竿との開放部幅
Ｗ３  Ｌ字フック幅
Ｌ  Ｌ字フック長さ
ｔ  Ｌ字フック厚さ
【図１】
0003187807.tif 000003
【図２】
0003187807.tif 000004
【図３】
0003187807.tif 000005
【図４】
0003187807.tif 000006
【図５】
0003187807.tif 000007
【図６】
0003187807.tif 000008